(57)【要約】【課題】本発明はビデオ編集、ビデオ撮影方法及び装置に関する。【解決手段】該ビデオ編集方法は、ビデオ編集パラメータを獲得することと、ビデオ編集パラメータに基づき、ビデオの撮影過程において高度情報が標記されている編集待ちビデオを編集することと、を含む。該技術的解決手段は、ビデオ編集パラメータを獲得した後、ビデオの撮影過程において高度情報が標記されている編集待ちビデオを編集することができ、ユーザーが全ての編集待ちビデオを見ないとビデオの編集を実現できないことを回避し、ビデオの編集効率を向上させるとともに、人的な操作も減らすことができ、当然ながら、人的な編集を回避したため、ビデオ編集の正確度も向上させることができる。【選択図】図１
2019505100.tif 000002
【特許請求の範囲】
【請求項１】
ビデオ編集パラメータを獲得することと、
前記ビデオ編集パラメータに基づき、ビデオの撮影過程において高度情報が標記されている編集待ちビデオを編集することと、
を含むことを特徴とするビデオ編集方法。
【請求項２】
前記ビデオ編集パラメータに基づき、ビデオの撮影過程において高度情報が標記されている編集待ちビデオを編集することは、
前記ビデオ編集パラメータに基づき、前記編集待ちビデオから前記ビデオ編集パラメータに見合うターゲットビデオを選択することと、
前記編集待ちビデオから前記ターゲットビデオを切り取ることと、
を含むことを特徴とする請求項１に記載の方法。
【請求項３】
前記高度情報は、
標高、前記標高に対応する気圧、前記標高に対応する地面からの高度、前記標高に対応する太陽の映像及び前記標高に対応する重力データのうちの少なくとも１つを含むことを特徴とする請求項１又は２に記載の方法。
【請求項４】
前記ビデオ編集パラメータは、
標高、前記標高に対応する気圧、前記標高に対応する地面からの高度、前記標高に対応する太陽の映像及び前記標高に対応する重力データのうちの少なくとも１つを含むことを特徴とする請求項１又は２に記載の方法。
【請求項５】
ビデオの撮影過程において、前記ビデオの撮影機器に対応する高度情報を獲得することと、
前記高度情報を用いて前記ビデオを標記し、編集待ちビデオを獲得することと、
を含むことを特徴とするビデオ撮影方法。
【請求項６】
前記ビデオの撮影過程において、前記ビデオの撮影機器に対応する高度情報を獲得することは、
ビデオの撮影過程において、前記ビデオの撮影機器に対応する高度情報をリアルタイムに獲得すること、又は、
ビデオの撮影過程において、予め設定した時間間隔ごとに前記ビデオの撮影機器に対応する高度情報を獲得すること、
を含むことを特徴とする請求項５に記載の方法。
【請求項７】
編集待ちビデオを獲得した後に、
前記編集待ちビデオをデータベースにアップロードすること、又は、
前記編集待ちビデオをローカルに記憶すること、
をさらに含むことを特徴とする請求項５に記載の方法。
【請求項８】
前記編集待ちビデオをデータベースにアップロードすることは、
前記編集待ちビデオに対応するユーザーがアップロード権限を有する場合、前記編集待ちビデオを前記データベースにアップロードすること、又は、
端末装置のコマンドに基づき、前記編集待ちビデオを前記データベースにアップロードすること、
を含むことを特徴とする請求項７に記載の方法。
【請求項９】
前記高度情報は、
標高、前記標高に対応する気圧、前記標高に対応する地面からの高度、前記標高に対応する太陽の映像及び前記標高に対応する重力データのうちの少なくとも１つを含むことを特徴とする請求項５〜８のいずれか一項に記載の方法。
【請求項１０】
前記高度情報に標高が含まれる場合、前記ビデオの撮影過程において、前記ビデオの撮影機器に対応する高度情報を獲得することは、
測位システムによって前記撮影機器に対応する標高を獲得すること、又は、
収集した気圧に基づき、前記撮影機器に対応する標高を獲得すること、又は、
収集した太陽の映像に基づき、前記撮影機器に対応する標高を獲得すること、又は、
収集した重力データに基づき、前記撮影機器に対応する標高を獲得すること、
を含むことを特徴とする請求項９に記載の方法。
【請求項１１】
ビデオ編集パラメータを獲得する獲得モジュールと、
前記ビデオ編集パラメータに基づき、ビデオの撮影過程において高度情報が標記されている編集待ちビデオを編集する編集モジュールと、
を含むことを特徴とするビデオ編集装置。
【請求項１２】
前記編集モジュールは、
前記ビデオ編集パラメータに基づき、前記編集待ちビデオから前記ビデオ編集パラメータに見合うターゲットビデオを選択する選択サブモジュールと、
前記編集待ちビデオから前記ターゲットビデオを切り取る切取サブモジュールと、
を含むことを特徴とする請求項１１に記載の装置。
【請求項１３】
前記高度情報は、
標高、前記標高に対応する気圧、前記標高に対応する地面からの高度、前記標高に対応する太陽の映像及び前記標高に対応する重力データのうちの少なくとも１つを含むことを特徴とする請求項１１又は１２に記載の装置。
【請求項１４】
前記ビデオ編集パラメータは、
標高、前記標高に対応する気圧、前記標高に対応する地面からの高度、前記標高に対応する太陽の映像及び前記標高に対応する重力データのうちの少なくとも１つを含むことを特徴とする請求項１１又は１２に記載の装置。
【請求項１５】
ビデオの撮影過程において、前記ビデオの撮影機器に対応する高度情報を獲得する獲得モジュールと、
前記高度情報を用いて前記ビデオを標記し、編集待ちビデオを獲得する標記モジュールと、
を含むことを特徴とするビデオ撮影装置。
【請求項１６】
前記獲得モジュールは、
ビデオの撮影過程において、前記ビデオの撮影機器に対応する高度情報をリアルタイムに獲得する第１獲得サブモジュール、
又は、
ビデオの撮影過程において、予め設定した時間間隔ごとに前記ビデオの撮影機器に対応する高度情報を獲得する第２獲得サブモジュール、
を含むことを特徴とする請求項１５に記載の装置。
【請求項１７】
編集待ちビデオを獲得した後、前記編集待ちビデオをデータベースにアップロードするアップロードモジュール、
又は、
前記編集待ちビデオをローカルに記憶する記憶モジュール、
をさらに含むことを特徴とする請求項１５に記載の装置。
【請求項１８】
前記アップロードモジュールは、
前記編集待ちビデオに対応するユーザーがアップロード権限を有する場合、前記編集待ちビデオを前記データベースにアップロードする第１アップロードサブモジュール、又は、
端末装置のコマンドに基づき、前記編集待ちビデオを前記データベースにアップロードする第２アップロードサブモジュール、
を含むことを特徴とする請求項１７に記載の装置。
【請求項１９】
前記高度情報は、
標高、前記標高に対応する気圧、前記標高に対応する地面からの高度、前記標高に対応する太陽の映像及び前記標高に対応する重力データのうちの少なくとも１つを含むことを特徴とする請求項１５〜１８のいずれか一項に記載の装置。
【請求項２０】
前記獲得モジュールは、
前記高度情報に標高が含まれる場合、測位システムによって前記撮影機器に対応する標高を獲得する第３獲得サブモジュール、又は、
前記高度情報に標高が含まれる場合、収集した気圧に基づき、前記撮影機器に対応する標高を獲得する第４獲得サブモジュール、又は、
前記高度情報に標高が含まれる場合、収集した太陽の映像に基づき、前記撮影機器に対応する標高を獲得する第５獲得サブモジュール、又は、
前記高度情報に標高が含まれる場合、収集した重力データに基づき、前記撮影機器に対応する標高を獲得する第６獲得サブモジュール、
を含むことを特徴とする請求項１９に記載の装置。
【請求項２１】
プロセッサと、
プロセッサにより実行可能なコマンドを記憶するメモリと、
を含み、
前記プロセッサは、
ビデオ編集パラメータを獲得し、
前記ビデオ編集パラメータに基づき、ビデオの撮影過程において高度情報が標記されている編集待ちビデオを編集するように構成される、
ことを特徴とするビデオ編集装置。
【請求項２２】
プロセッサと、
プロセッサにより実行可能なコマンドを記憶するメモリと、
を含み、
前記プロセッサは、
ビデオの撮影過程において、前記ビデオの撮影機器に対応する高度情報を獲得し、
前記高度情報を用いて前記ビデオを標記し、編集待ちビデオを獲得するように構成される
ことを特徴とするビデオ撮影装置。
【発明の詳細な説明】
【技術分野】
【０００１】
本発明は、コンピュータ分野に関し、特に、ビデオ編集、ビデオ撮影方法及び装置に関する。
【０００２】
本発明は出願番号がＣＮ２０１６１０９５９９８４．５であり、出願日が２０１６年１１月３日である中国特許出願に基づいて提出され、該中国特許出願の優先権を主張し、該中国特許出願の全ての内容はここで参照として本願に援用される。
【背景技術】
【０００３】
無人航空機による空撮は、我々に高空から美しい景色を俯瞰する願望を実現させてくれた。空撮の際、無人航空機が離陸又は着陸する過程において、通常は継続して撮影するが、無人航空機の離陸から着陸までの全過程を撮影したビデオが必要でない場合、撮影したビデオを編集するのが一般的である。かかる技術において、全てのビデオを見ながら編集することが一般的であるが、編集の効率を向上させなければならない。
【発明の概要】
【０００４】
本発明の実施例は、ビデオ編集、ビデオ撮影方法及び装置を提供する。
【０００５】
本発明の実施例は、以下のような技術的解決手段を採用する。
【０００６】
本発明の実施例に係る第１の態様によれば、
ビデオ編集パラメータを獲得することと、
前記ビデオ編集パラメータに基づき、ビデオの撮影過程において高度情報が標記されている編集待ちビデオを編集することと、
を含むビデオ編集方法を提供する。
【０００７】
一つの実施例において、前記ビデオ編集パラメータに基づき、ビデオの撮影過程において高度情報が標記されている編集待ちビデオを編集することは、
前記ビデオ編集パラメータに基づき、前記編集待ちビデオから前記ビデオ編集パラメータに見合うターゲットビデオを選択することと、
前記編集待ちビデオから前記ターゲットビデオを切り取ることと、を含む。
【０００８】
一つの実施例において、前記高度情報は、
標高、前記標高に対応する気圧、前記標高に対応する地面からの高度、前記標高に対応する太陽の映像及び前記標高に対応する重力データのうちの少なくとも１つを含む。
【０００９】
一つの実施例において、前記ビデオ編集パラメータは、
標高、前記標高に対応する気圧、前記標高に対応する地面からの高度、前記標高に対応する太陽の映像及び前記標高に対応する重力データのうちの少なくとも１つを含む。
【００１０】
本発明の実施例に係る第２の態様によれば、
ビデオの撮影過程において、前記ビデオの撮影機器に対応する高度情報を獲得することと、
前記高度情報を用いて前記ビデオを標記し、編集待ちビデオを獲得することと、
を含むビデオ撮影方法を提供する。
【００１１】
一つの実施例において、前記ビデオの撮影過程において、前記ビデオの撮影機器に対応する高度情報を獲得することは、
ビデオの撮影過程において、前記ビデオの撮影機器に対応する高度情報をリアルタイムに獲得すること、
又は、
ビデオの撮影過程において、予め設定した時間間隔ごとに前記ビデオの撮影機器に対応する高度情報を獲得すること、を含む。
【００１２】
一つの実施例において、編集待ちビデオを獲得した後、前記方法は、
前記編集待ちビデオをデータベースにアップロードすること、又は、
前記編集待ちビデオをローカルに記憶すること、
をさらに含む。
【００１３】
一つの実施例において、前記編集待ちビデオをデータベースにアップロードすることは、
前記編集待ちビデオに対応するユーザーがアップロード権限を有する場合、前記編集待ちビデオを前記データベースにアップロードすること、
又は、
端末装置のコマンドに基づき、前記編集待ちビデオを前記データベースにアップロードすること、を含む。
【００１４】
一つの実施例において、前記高度情報は、
標高、前記標高に対応する気圧、前記標高に対応する地面からの高度、前記標高に対応する太陽の映像及び前記標高に対応する重力データのうちの少なくとも１つを含む。
【００１５】
一つの実施例において、前記高度情報に標高が含まれる場合、前記ビデオの撮影過程において、前記ビデオの撮影機器に対応する高度情報を獲得することは、
測位システムによって前記撮影機器に対応する標高を獲得すること、又は、
収集した気圧に基づき、前記撮影機器に対応する標高を獲得すること、又は、
収集した太陽の映像に基づき、前記撮影機器に対応する標高を獲得すること、又は、
収集した重力データに基づき、前記撮影機器に対応する標高を獲得すること、
を含む。
【００１６】
本発明の実施例に係る第３の態様によれば、
ビデオ編集パラメータを獲得する獲得モジュールと、
前記ビデオ編集パラメータに基づき、ビデオの撮影過程において高度情報が標記されている編集待ちビデオを編集する編集モジュールと、
を含むビデオ編集装置を提供する。
【００１７】
一つの実施例において、前記編集モジュールは、
前記ビデオ編集パラメータに基づき、前記編集待ちビデオから前記ビデオ編集パラメータに見合うターゲットビデオを選択する選択サブモジュールと、
前記編集待ちビデオから前記ターゲットビデオを切り取る切取サブモジュールと、を含む。
【００１８】
一つの実施例において、前記高度情報は、
標高、前記標高に対応する気圧、前記標高に対応する地面からの高度、前記標高に対応する太陽の映像及び前記標高に対応する重力データのうちの少なくとも１つを含む。
【００１９】
一つの実施例において、前記ビデオ編集パラメータは、
標高、前記標高に対応する気圧、前記標高に対応する地面からの高度、前記標高に対応する太陽の映像及び前記標高に対応する重力データのうちの少なくとも１つを含む。
【００２０】
本発明の実施例に係る第４の態様によれば、
ビデオの撮影過程において、前記ビデオの撮影機器に対応する高度情報を獲得する獲得モジュールと、
前記高度情報を用いて前記ビデオを標記し、編集待ちビデオを獲得する標記モジュールと、
を含むビデオ撮影装置を提供する。
【００２１】
一つの実施例において、前記獲得モジュールは、
ビデオの撮影過程において、前記ビデオの撮影機器に対応する高度情報をリアルタイムに獲得する第１獲得サブモジュール、
又は、
ビデオの撮影過程において、予め設定した時間間隔ごとに前記ビデオの撮影機器に対応する高度情報を獲得する第２獲得サブモジュール、
を含む。
【００２２】
一つの実施例において、前記装置は、
編集待ちビデオを獲得した後、前記編集待ちビデオをデータベースにアップロードするアップロードモジュール、又は、
前記編集待ちビデオをローカルに記憶する記憶モジュール、
をさらに含む。
【００２３】
一つの実施例において、前記アップロードモジュールは、
前記編集待ちビデオに対応するユーザーがアップロード権限を有する場合、前記編集待ちビデオを前記データベースにアップロードする第１アップロードサブモジュール、又は、
端末装置のコマンドに基づき、前記編集待ちビデオを前記データベースにアップロードする第２アップロードサブモジュール、を含む。
【００２４】
一つの実施例において、前記高度情報は、
標高、前記標高に対応する気圧、前記標高に対応する地面からの高度、前記標高に対応する太陽の映像及び前記標高に対応する重力データのうちの少なくとも１つを含む。
【００２５】
一つの実施例において、前記獲得モジュールは、
前記高度情報に標高が含まれる場合、測位システムによって前記撮影機器に対応する標高を獲得する第３獲得サブモジュール、又は、
前記高度情報に標高が含まれる場合、収集した気圧に基づき、前記撮影機器に対応する標高を獲得する第４獲得サブモジュール、又は、
前記高度情報に標高が含まれる場合、収集した太陽の映像に基づき、前記撮影機器に対応する標高を獲得する第５獲得サブモジュール、又は、
前記高度情報に標高が含まれる場合、収集した重力データに基づき、前記撮影機器に対応する標高を獲得する第６獲得サブモジュール、を含む。
【００２６】
本発明の実施例に係る第５の態様によれば、
プロセッサと、
プロセッサにより実行可能なコマンドを記憶するメモリと、
を含むビデオ編集装置を提供し、
前記プロセッサは、
ビデオ編集パラメータを獲得し、
前記ビデオ編集パラメータに基づき、ビデオの撮影過程において高度情報が標記されている編集待ちビデオを編集するように構成される。
【００２７】
本発明の実施例に係る第６の態様によれば、
プロセッサと、
プロセッサにより実行可能なコマンドを記憶するメモリと、
を含むビデオ撮影装置を提供し、
前記プロセッサは、
ビデオの撮影過程において、前記ビデオの撮影機器に対応する高度情報を獲得し、
前記高度情報を用いて前記ビデオを標記し、編集待ちビデオを獲得するように構成される。
【発明の効果】
【００２８】
本発明の実施例により提供される技術的解決手段は、以下のような好適な効果を奏する。
【００２９】
ビデオ編集パラメータを獲得した後、ビデオの撮影過程において高度情報が標記された編集待ちビデオを編集することができ、ユーザーが全ての編集待ちビデオを見ないとビデオ編集が実現できないことを回避できるため、ビデオ編集の効率を向上させるとともに、人的な操作も減らすことができ、当然ながら、人的な編集を回避したため、ビデオ編集の正確度も向上させることができる。
【００３０】
以上の一般的な説明と後述の詳細な説明は、いずれも例示的且つ解釈的なものに過ぎず、本発明を限定するものではないことを理解すべきである。
【図面の簡単な説明】
【００３１】
ここの図面は、明細書に組み入れられて、本明細書の一部を構成し、本発明に適合する実施例を示し、明細書と共に本発明の原理を解釈するのに用いられる。
【００３２】
【図１】一つの例示的な実施例により示されたビデオ編集方法のフローチャートである。
【図２】一つの例示的な実施例により示された他の一つのビデオ編集方法のフローチャートである。
【図３】一つの例示的な実施例により示されたビデオ撮影方法のフローチャートである。
【図４Ａ】一つの例示的な実施例により示された他の一つのビデオ撮影方法のフローチャートである。
【図４Ｂ】一つの例示的な実施例により示された更なる他の一つのビデオ撮影方法のフローチャートである。
【図５】一つの例示的な実施例により示されたビデオ編集の概略図である。
【図６】一つの例示的な実施例により示されたビデオ編集装置のブロック図である。
【図７】一つの例示的な実施例により示された他の一つのビデオ編集装置のブロック図である。
【図８】一つの例示的な実施例により示されたビデオ撮影装置のブロック図である。
【図９Ａ】一つの例示的な実施例により示された他の一つのビデオ撮影装置のブロック図である。
【図９Ｂ】一つの例示的な実施例により示された更なる他の一つのビデオ撮影装置のブロック図である。
【図１０Ａ】一つの例示的な実施例により示された更なる他の一つのビデオ撮影装置のブロック図である。
【図１０Ｂ】一つの例示的な実施例により示された更なる他の一つのビデオ撮影装置のブロック図である。
【図１１Ａ】一つの例示的な実施例により示された更なる他の一つのビデオ撮影装置のブロック図である。
【図１１Ｂ】一つの例示的な実施例により示された更なる他の一つのビデオ撮影装置のブロック図である。
【図１２】一つの例示的な実施例により示されたビデオ編集装置又はビデオ撮影装置に適用するブロック図である。
【発明を実施するための形態】
【００３３】
ここでは、例示的な実施例について詳しく説明する。例示的な実施例は、図面に示されている。以下、図面に関わる説明において、特別な説明がない限り、異なる図面における同じ符号は、同一又は類似の要素を示している。以下の例示的な実施例に記載された実施形態は、本発明と一致する全ての実施形態を代表するものではない。反対に、それらは特許請求の範囲に記載された本発明の一部の態様と一致する装置と方法の例に過ぎない。
【００３４】
無人航空機による空撮は、我々に高空から美しい景色を俯瞰する願望を実現させてくれた。空撮の際、無人航空機が離陸又は着陸する過程において、通常は継続して撮影するが、無人航空機の離陸から着陸までの全過程を撮影したビデオが必要でない場合、撮影したビデオを編集するのが一般的である。かかる技術において、全てのビデオを見ながら編集することが一般的である。本発明は、標高、気圧、地面からの高度、位置などの情報を高度情報として無人航空機により撮影されたビデオを標記し、ビデオ編集パラメータを選択してビデオを編集することにより、無人航空機により撮影されたビデオに対する編集の難易度を低減し、ユーザーエクスペリエンスを向上させる。
【００３５】
図１は、一つの例示的な実施例により示されたビデオ編集方法のフローチャートである。該方法はビデオ編集機能を有する装置（例えば、携帯電話、タブレットパソコン、プレイヤー等）又はそのアプリケーションに用いられ、図１に示すように、該方法はステップＳ１１とステップＳ１２を含む。
【００３６】
Ｓ１１において、標高、標高に対応する気圧、標高に対応する地面からの高度、標高に対応する太陽の映像及び標高に対応する重力データのうちの少なくとも１つを含むビデオ編集パラメータを獲得する。
【００３７】
Ｓ１２において、ビデオ編集パラメータに基づき、ビデオの撮影過程において高度情報が標記されている編集待ちビデオを編集する。編集待ちビデオはデータベースに記憶されることができ、高度情報は編集待ちビデオにおける設定のフィールドに埋め込まれることができる。編集待ちビデオは、ビデオの撮影過程において、該ビデオを撮影する機器に対応する高度情報に基づき、該ビデオを標記した後に得られる編集を必要とするビデオである。
【００３８】
本発明の実施例に係る上記方法は、ビデオ編集パラメータを獲得した後、ビデオの撮影過程において高度情報が標記されている編集待ちビデオを編集することができ、ユーザーが全ての編集待ちビデオを見ないとビデオ編集が実現できないことを回避できるため、ビデオ編集の効率を向上させるとともに、人的な操作も減らすことができ、当然ながら、人的な編集を回避したため、ビデオ編集の正確度も向上させることができる。
【００３９】
なお、高度情報も、
標高、標高に対応する気圧、標高に対応する地面からの高度、標高に対応する太陽の映像及び標高に対応する重力データのうちの少なくとも１つを含む。
【００４０】
図２は、一の例示的な実施例により示された他の一つのビデオ編集方法のフローチャートである。
【００４１】
図２に示すように、一つの実施例において、上記ステップＳ１２の「ビデオ編集パラメータに基づき、ビデオの撮影過程において高度情報が標記されている編集待ちビデオを編集すること」は、ステップＳ１２１とステップＳ１２２を含む。
【００４２】
Ｓ１２１において、ビデオ編集パラメータに基づき、編集待ちビデオからビデオ編集パラメータに見合うターゲットビデオを選択する。
【００４３】
本発明の実施例において、ビデオ編集パラメータは、ユーザーにより入力されたパラメータであってもよく、又はユーザーの編集習慣に基づいて自動的に確定されたパラメータであっても良い。例えば、ユーザーが以前に地面からの高度をビデオ編集パラメータとして使用する好みがあった場合、地面からの高度を自動的に該ビデオ編集パラメータとすることができ、予め設定した過去の時間帯においてビデオ編集パラメータとされる過去の地面からの高度を獲得することができ、さらに過去の地面からの高度に基づいて常用する地面からの高度範囲（例えば、過去の地面からの高度に基づき、これらの過去の地面からの高度の平均値を自動的に統計し、さらに過去の地面からの高度の平均値を常用するターゲットビデオを選択する地面からの高度範囲とする）を自動的に統計することができ、その後、該地面からの高度範囲をもとに編集待ちビデオからユーザーが切り取ることを希望しているターゲットビデオを選択することができる。
【００４４】
Ｓ１２２において、編集待ちビデオからターゲットビデオを切り取る。
【００４５】
ビデオ編集パラメータに基づき、編集待ちビデオからビデオ編集パラメータに見合うターゲットビデオを自動的に選択することができ、さらに該ターゲットビデオを自動的に切り取ることによって、ビデオ編集パラメータに基づいてユーザーが期待しているターゲットビデオを迅速且つ効率的に切り取ることを自動的に実現する。
【００４６】
また、例えば、編集待ちビデオの高度情報に標高が含まれ、編集待ちビデオに編集待ちビデオの撮影開始から撮影終了までの標高が標記されている場合、ビデオ編集パラメータは標高範囲であってもよく、標高範囲に基づき、標高が標記されている編集待ちビデオから該標高範囲に対応するターゲットビデオを切り取る。
【００４７】
一つの実施例において、高度情報は、
標高、標高に対応する気圧、標高に対応する地面からの高度、標高に対応する太陽の映像及び標高に対応する重力データのうちの少なくとも１つを含む。
【００４８】
ビデオに標記された高度情報には複数の情報が含まれているため、異なる情報を用いてビデオを標記することができ、さらにビデオの標記方法を豊富にし、将来異なる編集パラメータを用いてビデオを編集するためにも基礎を築き上げている。
【００４９】
本発明の実施例に係る上記方法は、ビデオの撮影中において高度情報を埋め込むことによりビデオを標記しているため、その後のビデオ編集効率を向上させるのに役立つ。
【００５０】
一つの実施例において、ビデオ編集パラメータは、
標高、標高に対応する気圧、標高に対応する地面からの高度、標高に対応する太陽の映像及び標高に対応する重力データのうちの少なくとも１つを含む。
【００５１】
ビデオ編集パラメータは、上記の１つ又は複数のパラメータを含むことができ、よってビデオの編集方法を豊富にし、ビデオの編集効率を向上させ、複数の編集パラメータを用いて編集待ちビデオを編集する場合、ビデオ編集の正確度を向上させ、編集されたターゲットビデオをユーザーの編集要求により見合うようにさせることができる。
【００５２】
当然ながら、該ビデオ編集パラメータのパラメータタイプと該高度情報の情報タイプは同じ又は異なってもよい。例えば、高度情報に標高が含まれる場合、ビデオ編集パラメータは標高であってもよく、又は該ビデオ編集パラメータは標高に対応する気圧、標高に対応する地面からの高度、標高に対応する太陽の映像及び標高に対応する重力データのうちの少なくとも１つのパラメータであってもよい。こうすると、依然としてビデオの編集過程を完成することができ、編集の際、まず使用する編集パラメータのタイプを該高度情報の情報タイプと一致するパラメータに変換しなければならない。例えば、使用するビデオ編集パラメータが気圧範囲である場合、編集待ちビデオを編集する際、該気圧範囲を標高範囲に変換しなければならない。
【００５３】
図３は、一つの例示的な実施例により示されたビデオ撮影方法のフローチャートである。該方法はビデオ撮影機能を有する装置（例えば、携帯電話、タブレットパソコン、ビデオレコーダー、無人航空機等）又はそのアプリケーションに用いられ、図３に示すように、該方法はステップＳ３１とステップＳ３２を含む。
【００５４】
Ｓ３１において、ビデオの撮影過程において、ビデオの撮影機器に対応する高度情報を獲得する。
【００５５】
本発明の実施例において、ビデオの撮影機器が該ビデオを撮影する機器であり、また、該高度情報を獲得する場合、予め設定した時間間隔（例えば、２秒）ごとに該撮影機器に対応する高度情報を獲得することができ、予め設定したフレーム数（該予め設定したフレーム数は事前設定したものであってもよく、例えば、２０フレームであってもよい）ごとに該撮影機器に対応する高度情報を獲得することもでき、該撮影機器に対応する高度情報をリアルタイムに獲得することもできる。
【００５６】
Ｓ３２において、高度情報を用いてビデオを標記し、編集待ちビデオを獲得する。
【００５７】
本発明の実施例において、高度情報を用いてビデオを標記する際、該高度情報の標記位置は、該フレームのビデオに対応するように、該高度情報に対応するフレームのビデオに位置させてもよい。こうすると、標記された高度情報はそのフレームのビデオを撮影する際の撮影機器の高度情報を正確に示すことができる。該高度情報が具体的に該フレームのビデオの特定フィールド又は開始部分又はその他の部分の何処に位置するかに関して、本発明の実施例は限定しない。
【００５８】
本発明の実施例に係る上記方法は、ビデオの撮影過程において、該撮影機器に対応する高度情報を獲得することにより、高度情報を用いてビデオを標記するために、該高度情報をビデオに埋め込むことができ、よって高度情報が含まれた編集待ちビデオを獲得し、その後のビデオ編集パラメータに基づいて編集待ちビデオを自動的に編集することに役立ち、よってビデオ編集方法を豊富にすると同時に、ビデオ編集の効率と正確度を向上させる。
【００５９】
図４Ａは、一つの例示的な実施例により示された他の一つのビデオ撮影方法のフローチャートである。
【００６０】
図４Ａに示すように、一つの実施例において、上記ステップＳ３１の「ビデオの撮影過程において、ビデオの撮影機器に対応する高度情報を獲得すること」はステップＳ３１１を含むことができる。
【００６１】
Ｓ３１１において、ビデオの撮影過程において、ビデオの撮影機器に対応する高度情報をリアルタイムに獲得する。
【００６２】
図４Ｂは、一つの例示的な実施例により示された更なる他の一つのビデオ撮影方法のフローチャートである。
【００６３】
図４Ｂに示すように、一つの実施例において、上記ステップＳ３１の「ビデオの撮影過程において、ビデオの撮影機器に対応する高度情報を獲得すること」はステップＳ３１２をさらに含むことができる。
【００６４】
Ｓ３１２において、ビデオの撮影過程において、予め設定した時間間隔ごとにビデオの撮影機器に対応する高度情報を獲得する。
【００６５】
本発明の実施例に係る上記方法は、ビデオの撮影機器に対応する高度情報をリアルタイムに獲得し又は予め設定した時間間隔ごとに該ビデオの撮影機器に対応する高度情報を獲得することにより、該高度情報を該ビデオにおける該高度情報に対応するビデオフレーム（該ビデオフレームは、該撮影機器が該高度情報を有する際に撮影した複数のフレームビデオである）に埋め込むことができ、よって、高度情報と同じ意味を有するビデオ編集パラメータに基づき編集待ちビデオを編集できるように、高度情報を含む編集待ちビデオを獲得する。
【００６６】
一つの実施例において、高度情報は、
標高、標高に対応する気圧、標高に対応する地面からの高度、標高に対応する太陽の映像及び標高に対応する重力データのうちの少なくとも１つを含む。
【００６７】
異なるタイプの情報を用いてビデオを標記することができるように、高度情報は上記１つ又は複数の情報を含むことができ、よってビデオの標記方法を豊富にし、将来異なるタイプの編集パラメータを用いてビデオを編集するためにも基礎を築き上げている。
【００６８】
一つの実施例において、上記の編集待ちビデオを獲得した後に、
編集待ちビデオをデータベースにアップロードすること、又は、編集待ちビデオをローカルに記憶すること、をさらに含む。
【００６９】
本発明の実施例に係る上記方法において、高度情報が標記されている編集待ちビデオを記憶し、データベースを構築することによって、ビデオ編集パラメータに基づき、データベースからビデオを検索することに便利である。
【００７０】
一つの実施例において、上記の編集待ちビデオをデータベースにアップロードする際、編集待ちビデオに対応するユーザーのアップロード権限を検証することができ、編集待ちビデオに対応するユーザーがアップロード権限を有する場合、編集待ちビデオをデータベースにアップロードする。
【００７１】
一つの実施例において、上記の編集待ちビデオをデータベースにアップロードする際、端末装置のコマンドに基づいて編集待ちビデオをデータベースにアップロードすることができる。
【００７２】
端末装置のコマンドは、ユーザーのトリガー操作に由来することができる。例えば、ユーザーがアップロードオプションをクリックする場合、編集待ちビデオをアップロードする端末装置のコマンドを生成することができ、又は、ユーザーが入力した該編集待ちビデオをアップロードするためのスライド軌跡が検出された場合も、編集待ちビデオをアップロードするための端末装置のコマンドを生成することができる。
【００７３】
本発明の実施例に係る上記方法において、将来ビデオ編集パラメータに基づいてデータベースからビデオを検索できるように、権限を検証し又はコマンドを受信した後、高度情報が埋め込まれたビデオをデータベースにアップロードする。
【００７４】
一つの実施例において、高度情報に標高が含まれる場合、上記図３におけるステップＳ３２の「ビデオの撮影過程において、ビデオの撮影機器に対応する高度情報を獲得すること」は、下記少なくとも１つの方式によって実現されることができる。
【００７５】
測位システムによって撮影機器に対応する標高を獲得する。例えば、全地球測位システム（ＧＰＳ、Ｇｌｏｂａｌ  Ｐｏｓｉｔｉｏｎｉｎｇ  Ｓｙｓｔｅｍ）によって該撮影機器の現在位置する標高（例えば、実行主体が無人航空機である場合、該標高は無人航空機の現在位置する飛行エリアの標高である）を認識する。
収集した気圧に基づいて撮影機器に対応する標高を獲得する。例えば、気圧センサ又は気圧計によって撮影機器の現在位置する気圧（例えば、実行主体が無人航空機である場合、該標高は無人航空機の現在位置する飛行エリアの気圧である）を収集し、さらに収集した気圧に基づいて標高を獲得する。
収集した太陽の映像に基づいて、撮影機器に対応する標高を獲得する。例えば、撮影機器におけるカメラによって太陽の映像をキャプチャーし、さらに太陽の映像に基づいて標高を獲得する。例えば、太陽の映像における太陽の色と太陽の映像が位置するビデオフレームにおける太陽の映像の表示位置、表示大きさなどの情報に基づいて標高を獲得する。
収集した重力データに基づいて、撮影機器に対応する標高を獲得する。例えば、重力センサによって重力加速度を収集し、さらに重力加速度に基づいて該撮影機器に対応する標高を獲得する。
【００７６】
本発明の実施例に係る上記方法は、撮影されたビデオに標高が含まれた高度情報を埋め込むことにより、標高に基づいてビデオを編集することができ、ユーザーエクスペリエンスを向上させる。
【００７７】
当然ながら、本発明の実施例に係る上記方法において、ビデオに埋め込まれた高度情報は、直接上記方式に基づいて獲得した該標高に対応する気圧、地面からの高度、太陽の映像、重力データ等であってもよく、よってこれらの情報を標高に変換する変換ステップを減少させただけでなく、ユーザーエクスペリエンスを向上させるために、気圧、地面からの高度、太陽の映像、重力データ等の編集パラメータに基づき編集待ちビデオに対してビデオ編集を行うことができる。地面からの高度は、撮影機器に取り付けられた重力加速度センサにより獲得した重力データ又は気圧計により獲得した気圧を変換することにより得られるものであっても良い。
【００７８】
当然ながら、高度情報は上記情報を含むがそれに限定されず、さらに撮影機器に対応する位置情報を含むことができ、位置情報は測位システムによって得られる。
【００７９】
図５は、本発明の実施例により提供されるビデオ編集の実例である。図５において、縦軸は標高であり、横軸はビデオの継続時間である。図５に示すように、ビデオ編集パラメータとしての標高の編集範囲はｈ１（即ち、ｈ１からｈ２までの最適撮影標高である）より大き。こうすると、ステップＳ１２を実行する際、弧線標高に対応するビデオから標高の編集範囲ｈ１からｈ２までの部分に適合するターゲットビデオを自動的に選択して切り取ることができ、図５における標高がｈ１より低い部分に対応するビデオを切り捨て、即ち、ｔ１の前とｔ２の後の２つの部分の標高に対応するビデオを切り捨て、ｔ１からｔ２までの時間帯に対応するターゲットビデオ（即ち、最適撮影標高に対応する部分のターゲットビデオ）を残す。
【００８０】
本実施例は、標高のみを例として説明したが、本実施例と同様に、その他の実施例において、気圧、地面からの高度、太陽の映像、重力データ等によってビデオを編集することもできる。例えば、気圧の編集範囲に基づいて編集待ちビデオを編集したり、地面からの高度の編集範囲に基づいて編集待ちビデオを編集したり、位置情報の編集範囲に基づいて編集待ちビデオを編集したりしてもよい。
【００８１】
当然ながら、上記の実施例は単独に実施することもでき、組合せて実施することもできる。
【００８２】
図６は、一つの例示的な実施例により示されたビデオ編集装置のブロック図である。
【００８３】
本発明の実施例により提供される上記のビデオ編集方法に対応して、本発明の実施例はさらにビデオ編集装置を提供する。図６に示すように、該装置は、
ビデオ編集パラメータを獲得するように構成された獲得モジュール６１と、
ビデオ編集パラメータに基づき、ビデオの撮影過程において高度情報が標記されている編集待ちビデオを編集するように構成された編集モジュール６２と、
を含む。
【００８４】
図７は、一つの例示的な実施例により示された他の一つのビデオ編集装置のブロック図である。
【００８５】
図７に示すように、一つの実施例において、上記の図６に示す編集モジュール６２は、
ビデオ編集パラメータに基づき、編集待ちビデオからビデオ編集パラメータに見合うターゲットビデオを選択するように構成された選択サブモジュール６２１と、
編集待ちビデオからターゲットビデオを切り取るように構成された切取サブモジュール６２２と、
を含むことができる。
【００８６】
一つの実施例において、高度情報は、
標高、標高に対応する気圧、標高に対応する地面からの高度、標高に対応する太陽の映像及び標高に対応する重力データのうちの少なくとも１つを含む。
【００８７】
一つの実施例において、ビデオ編集パラメータは、
標高、標高に対応する気圧、標高に対応する地面からの高度、標高に対応する太陽の映像及び標高に対応する重力データのうちの少なくとも１つを含む。
【００８８】
図８は、一つの例示的な実施例により示されたビデオ撮影装置のブロック図である。
【００８９】
本発明の実施例により提供される上記ビデオ撮影方法に対応して、本発明の実施例はさらにビデオ撮影装置を提供する。図８に示すように、該装置は、
ビデオの撮影過程において、ビデオの撮影機器に対応する高度情報を獲得するように構成された獲得モジュール８１と、
高度情報を用いてビデオを標記し、編集待ちビデオを獲得するように構成された標記モジュール８２と、
を含む。
【００９０】
図９Ａは、一つの例示的な実施例により示された他の一つのビデオ撮影装置のブロック図である。
【００９１】
図９Ａに示すように、一つの実施例において、上記の図８に示す獲得モジュール８１は、
ビデオの撮影過程において、ビデオの撮影機器に対応する高度情報をリアルタイムに獲得するように構成された第１獲得サブモジュール８１１を含むことができる。
【００９２】
図９Ｂは、一つの例示的な実施例により示された更なる他の一つのビデオ撮影装置のブロック図である。
【００９３】
図９Ｂに示すように、一つの実施例において、上記の図８に示す獲得モジュール８１は、
ビデオの撮影過程において、予め設定した時間間隔ごとにビデオの撮影機器に対応する高度情報を獲得するように構成された第２獲得サブモジュール８１２を含むことができる。
【００９４】
図１０Ａは、一つの例示的な実施例により示された更なる他の一つのビデオ撮影装置のブロック図である。
【００９５】
図１０Ａに示すように、一つの実施例において、上記の図６に示す装置は、
編集待ちビデオを獲得した後、編集待ちビデオをデータベースにアップロードするように構成されたアップロードモジュール１００１をさらに含むことができる。
【００９６】
図１０Ｂは、一つの例示的な実施例により示された更なる他の一つのビデオ撮影装置のブロック図である。
【００９７】
図１０Ｂに示すように、一つの実施例において、上記の図６に示す装置は、
編集待ちビデオをローカルに記憶するように構成された記憶モジュール１００２をさらに含む。
【００９８】
図１１Ａは、一つの例示的な実施例により示された更なる他の一つのビデオ撮影装置のブロック図である。
【００９９】
図１１Ａに示すように、一つの実施例において、上記の図１０Ａに示すアップロードモジュール１００１は、
編集待ちビデオに対応するユーザーがアップロード権限を有する場合、編集待ちビデオをデータベースにアップロードするように構成された第１アップロードサブモジュール１００１１を含むことができる。
【０１００】
図１１Ｂは、一つの例示的な実施例により示された更なる他の一つのビデオ撮影装置のブロック図である。
【０１０１】
図１１Ｂに示すように、一つの実施例において、上記の図１０Ａに示すアップロードモジュール１００１は、
端末装置のコマンドに基づき、編集待ちビデオをデータベースにアップロードするように構成された第２アップロードサブモジュール１００１２を含むことができる。
【０１０２】
一つの実施例において、高度情報は、
標高、標高に対応する気圧、標高に対応する地面からの高度、標高に対応する太陽の映像及び標高に対応する重力データのうちの少なくとも１つを含む。
【０１０３】
一つ実施例において、上記の図６に示す獲得モジュール６１は、
高度情報に標高が含まれる場合、測位システムによって撮影機器に対応する標高を獲得するように構成された第３獲得サブモジュール、又は、
高度情報に標高が含まれる場合、収集した気圧に基づいて撮影機器に対応する標高を獲得するように構成された第４獲得サブモジュール、又は、
高度情報に標高が含まれる場合、収集した太陽の映像に基づいて撮影機器に対応する標高を獲得するように構成された第５獲得サブモジュール、又は、
高度情報に標高が含まれる場合、収集した重力データに基づいて撮影機器に対応する標高を獲得するように構成された第６獲得サブモジュール、
を含むことができる。
【０１０４】
本発明の実施例に係る第５の態様によれば、
プロセッサと、
プロセッサにより実行可能なコマンドを記憶するメモリと、
を含むビデオ編集装置を提供し、
該プロセッサは、
ビデオ編集パラメータを獲得し、
ビデオ編集パラメータに基づき、ビデオの撮影過程において高度情報が標記されている編集待ちビデオを編集するように構成される。
【０１０５】
一つの実施例において、ビデオ編集パラメータに基づき、ビデオの撮影過程において高度情報が標記されている編集待ちビデオを編集することは、
ビデオ編集パラメータに基づき、編集待ちビデオからビデオ編集パラメータに見合うターゲットビデオを選択することと、
編集待ちビデオからターゲットビデオを切り取ることと、
を含む。
【０１０６】
一つの実施例において、高度情報は、
標高、標高に対応する気圧、標高に対応する地面からの高度、標高に対応する太陽の映像及び標高に対応する重力データのうちの少なくとも１つを含む。
【０１０７】
一つの実施例において、ビデオ編集パラメータは、
標高、標高に対応する気圧、標高に対応する地面からの高度、標高に対応する太陽の映像及び標高に対応する重力データのうちの少なくとも１つを含む。
【０１０８】
本発明の実施例に係る第６の態様によれば、
プロセッサと、
プロセッサにより実行可能なコマンドを記憶するメモリと、
を含むビデオ撮影装置を提供し、
該プロセッサは
ビデオの撮影過程において、ビデオの撮影機器に対応する高度情報を獲得し、
高度情報を用いてビデオを標記し、編集待ちビデオを獲得するように構成される。
【０１０９】
一つの実施例において、ビデオの撮影過程において、ビデオの撮影機器に対応する高度情報を獲得することは、
ビデオの撮影過程において、ビデオの撮影機器に対応する高度情報をリアルタイムに獲得すること、
又は、
ビデオの撮影過程において、予め設定した時間間隔ごとにビデオの撮影機器に対応する高度情報を獲得することを含む。
【０１１０】
一つの実施例において、編集待ちビデオを獲得した後に、上記方法は、
編集待ちビデオをデータベースにアップロードすること、又は、
編集待ちビデオをローカルに記憶すること、
をさらに含む。
【０１１１】
一つの実施例において、編集待ちビデオをデータベースにアップロードすることは、
編集待ちビデオに対応するユーザーがアップロード権限を有する場合、編集待ちビデオをデータベースにアップロードすること、又は、
端末装置のコマンドに基づき、編集待ちビデオをデータベースにアップロードすること、を含む。
【０１１２】
一つの実施例において、高度情報は、
標高、標高に対応する気圧、標高に対応する地面からの高度、標高に対応する太陽の映像及び標高に対応する重力データのうちの少なくとも１つを含む。
【０１１３】
一つの実施例において、高度情報に標高が含まれる場合、ビデオの撮影過程において、ビデオの撮影機器に対応する高度情報を獲得することは、
測位システムによって撮影機器に対応する標高を獲得すること、又は、
収集した気圧に基づき、撮影機器に対応する標高を獲得すること、又は、
収集した太陽の映像に基づき、撮影機器に対応する標高を獲得すること、又は、
収集した重力データに基づき、撮影機器に対応する標高を獲得すること、
を含む。
【０１１４】
図１２は、一つの例示的な実施例により示されたビデオ編集装置１２００又はビデオ撮影装置１２００のブロック図である。装置１２００はビデオ編集機能を有する機器又はビデオ撮影機能を有する機器、例えば、携帯電話、ウェアラブル機器、タブレットパソコン、デジタル放送端末、メッセージ送受信装置、ゲームコンソール、タブレット型装置、医療機器、運動器具、個人用デジタル補助装置などであってもよい。
【０１１５】
図１２を参照すると、装置１２００は、処理部材１２０２、メモリ１２０４、電源部材１２０６、マルチメディア部材１２０８、オーディオ部材１２１０、入力／出力（Ｉ／Ｏ）インターフェース１２１２、センサ部材１２１４、及び通信部材１２１６のうちの１つ又は複数の部材を含むことができる。
【０１１６】
処理部材１２０２は、一般的に装置１２００の全体的操作を制御し、例えば、表示、電話の呼び出し、データ通信、カメラ操作及び記録操作に関わる操作を制御する。処理部材１２０２は、上記方法の全部又は一部のステップを完成するために、コマンドを実行するための１つ又は複数のプロセッサ１２２０を含むことができる。なお、処理部材１２０２は、その他の部材とのインタラクションが便利であるように、１つ又は複数のモジュールを含むことができる。例えば、処理部材１２０２は、マルチメディア部材１２０８とのインタラクションが便利であるように、マルチメディアモジュールを含むことができる。
【０１１７】
メモリ１２０４は、装置１２００における操作をサポートするように、様々な種類のデータを記憶するように構成される。これらのデータの実例は、装置１２００において操作される如何なるアプリケーション又は方法のコマンド、連絡先データ、電話帳データ、メッセージ、画像、ビデオなどを含む。メモリ１２０４は、如何なる種類の揮発性又は不揮発性メモリ又はそれらの組み合わせ、例えば、スタティックランダムアクセスメモリ（ＳＲＡＭ）、電気的消去可能プログラマブル読み取り専用メモリ（ＥＥＰＲＯＭ）、消去可能プログラマブル読み取り専用メモリ（ＥＰＲＯＭ）、プログラマブル読み取り専用メモリ（ＰＲＯＭ）、読み取り専用メモリ（ＲＯＭ）、磁気メモリ、フラッシュメモリ、磁気ディスク又は光ディスクにより実現することができる。
【０１１８】
電源部材１２０６は、装置１２００の様々な部材のために電力を提供する。電源部材１２０６は、電源管理システム、１つ又は複数の電源、及びその他の装置１２００に対する電力の生成、管理及び供給に関連する部材を含むことができる。
【０１１９】
マルチメディア部材１２０８は、装置１２００とユーザーとの間の出力インターフェースを提供するスクリーンを含む。一部の実施例において、スクリーンは液晶ディスプレイ（ＬＣＤ）とタッチパネル（ＴＰ）を含むことができる。スクリーンにタッチパネルが含まれる場合、ユーザーからの入力信号を受信するために、スクリーンはタッチパネルに実現されることができる。タッチパネルは、タッチ、スワイプ及びタッチパネルにおけるジェスチャーを感知するために、１つ又は複数のタッチセンサを含む。タッチセンサは、タッチ又はスワイプ動作の境界を感知するとともに、タッチ又はスワイプ動作に関わる持続時間及び圧力を検出することができる。一部の実施例において、マルチメディア部材１２０８は、フロントカメラ及び／又はバックカメラを含む。装置１２００が操作モードである場合、例えば、撮影モード又はビデオモードである場合、フロントカメラ及び／又はバックカメラは外部のマルチメディアデータを受信することができる。各フロントカメラ及びバックカメラは、固定された光学レンズシステムであってもよく、又は焦点距離と光学ズーム能力を有する。
【０１２０】
オーディオ部材１２１０は、オーディオ信号を出力及び／又は入力するように構成される。例えば、オーディオ部材１２１０は、マイクロフォン（ＭＩＣ）を含み、装置１２００が操作モードである場合、例えば、呼び出しモード、記録モード、音声認識モードである場合、マイクロフォンは外部のオーディオ信号を受信するように構成される。受信されたオーディオ信号は、さらにメモリ１２０４に記憶され、又は通信部材１２１６を介して送信される。一部の実施例において、オーディオ部材１２１０は、さらにオーディオ信号を出力するスピーカーを含む。
【０１２１】
Ｉ／Ｏインターフェース１２１２は、処理部材１２０２と周辺インターフェースモジュールとの間にインターフェースを提供し、上記周辺インターフェースモジュールは、キーボード、クリックホイール、ボタンなどであってもよい。これらのボタンは、ホームボタン、ボリュームボタン、スタートボタン及びロックボタンを含むことができるがそれに限定されない。
【０１２２】
センサ部材１２１４は、装置１２００のために各方面の状態評価を提供する１つ又は複数のセンサを含む。例えば、センサ部材１２１４は、装置１２００のオン／オフ状態、部材の相対的位置決め、例えば、部材が装置１２００であるディスプレイ及びキーパッドを検出することができ、センサ部材１２１４は、さらに装置１２００又は装置１２００の１つの部材の位置変化、ユーザーと装置１２００との接触の有無、装置１２００の方角又は加速／減速及び装置１２００の温度変化を検出することができる。センサ部材１２１４は、近接センサを含むことができ、如何なる物理的接触がない場合、近傍物体の存在を検出するように構成される。センサ部材１２１４は、さらにイメージングアプリケーションに用いられる光学センサ、例えば、ＣＭＯＳ又はＣＣＤイメージセンサを含むことができる。一部の実施例において、該センサ部材１２１４は、さらに加速度センサ、ジャイロセンサ、磁気センサ、圧力センサ又は温度センサを含むことができる。
【０１２３】
通信部材１２１６は、装置１２００とその他の装置との有線又は無線方式による通信が便利であるように構成される。装置１２００は、通信標準に基づく無線ネットワーク、例えば、Ｗｉ−Ｆｉ、２Ｇ又は３Ｇ、又はそれらの組み合わせにアクセスすることができる。一つの例示的な実施例において、通信部材１２１６は、放送チャネルを介して外部放送管理システムからの放送信号又は放送関連情報を受信する。一つの例示的な実施例において、通信部材１２１６は、狭域通信を促進するために、さらに近距離無線通信（ＮＦＣ）モジュールを含む。例えば、ＮＦＣモジュールにおいて、無線周波数識別（ＲＦＩＤ）技術、赤外線データ協会（ＩｒＤＡ）技術、超広帯域（ＵＷＢ）技術、ブルートゥース（ＢＴ）及びその他の技術に基づいて実現することができる。
【０１２４】
一つの例示的な実施例において、装置１２００は、１つ又は複数の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又はその他の電子部品により実現することができ、上記方法を実行するのに用いられる。
【０１２５】
一つの例示的な実施例において、さらに、コマンドを含む非一時的コンピュータ可読記憶媒体、例えば、コマンドを含むメモリ１２０４を提供し、上記方法を遂行するために、上記コマンドは装置１２００のプロセッサ１２２０により実行することができる。例えば、非一時的なコンピュータ可読記憶媒体は、ＲＯＭ、ランダムアクセスメモリ（ＲＡＭ）、ＣＤ−ＲＯＭ、磁気テープ、フロッピーディスク及び光データ記憶装置などであってもよい。
【０１２６】
非一時的なコンピュータ可読記憶媒体であって、記憶媒体におけるコマンドが上記装置１２００のプロセッサにより実行される場合、上記装置１２００にビデオ編集装置を実行できるようにし、
ビデオ編集パラメータを獲得することと、
ビデオ編集パラメータに基づき、ビデオの撮影過程において高度情報が標記されている編集待ちビデオを編集することと、
を含む。
【０１２７】
一つの実施例において、ビデオ編集パラメータに基づき、ビデオの撮影過程において高度情報が標記されている編集待ちビデオを編集することは、
ビデオ編集パラメータに基づき、編集待ちビデオからビデオ編集パラメータに見合うターゲットビデオを選択することと、
編集待ちビデオからターゲットビデオを切り取ることと、
を含む。
【０１２８】
一つの実施例において、高度情報は、
標高、標高に対応する気圧、標高に対応する地面からの高度、標高に対応する太陽の映像及び標高に対応する重力データのうちの少なくとも１つを含む。
【０１２９】
一つの実施例において、ビデオ編集パラメータは、
標高、標高に対応する気圧、標高に対応する地面からの高度、標高に対応する太陽の映像及び標高に対応する重力データのうちの少なくとも１つを含む。
【０１３０】
非一時的なコンピュータ可読記憶媒体であって、記憶媒体におけるコマンドが上記装置１２００のプロセッサにより実行される場合、上記装置１２００にビデオ撮影装置を実行できるようにし、
ビデオの撮影過程において、ビデオの撮影機器に対応する高度情報を獲得することと、
高度情報を用いてビデオを標記し、編集待ちビデオを獲得することと、
を含む。
【０１３１】
一つの実施例において、ビデオの撮影過程において、ビデオの撮影機器に対応する高度情報を獲得することは、
ビデオの撮影過程において、ビデオの撮影機器に対応する高度情報をリアルタイムに獲得すること、
又は、
ビデオの撮影過程において、予め設定した時間間隔ごとにビデオの撮影機器に対応する高度情報を獲得すること、
を含む。
【０１３２】
一つの実施例において、編集待ちビデオを獲得した後に、上記方法は、
編集待ちビデオをデータベースにアップロードすること、
又は、編集待ちビデオをローカルに記憶すること、
をさらに含む。
【０１３３】
一つの実施例において、編集待ちビデオをデータベースにアップロードすることは、
編集待ちビデオに対応するユーザーがアップロード権限を有する場合、編集待ちビデオをデータベースにアップロードすること、又は、
端末装置のコマンドに基づき、編集待ちビデオをデータベースにアップロードすること、
を含む。
【０１３４】
一つの実施例において、高度情報は、
標高、標高に対応する気圧、標高に対応する地面からの高度、標高に対応する太陽の映像及び標高に対応する重力データのうちの少なくとも１つを含む。
【０１３５】
一つの実施例において、高度情報に標高が含まれる場合、ビデオの撮影過程において、ビデオの撮影機器に対応する高度情報を獲得することは、
測位システムによって撮影機器に対応する標高を獲得すること、又は、
収集した気圧に基づき、撮影機器に対応する標高を獲得すること、又は、
収集した太陽の映像に基づき、撮影機器に対応する標高を獲得すること、又は、
収集した重力データに基づき、撮影機器に対応する標高を獲得すること、
を含む。
【０１３６】
当業者であれば、明細書を考慮し、ここに開示された発明を実践した上で、本発明のその他の実施態様を容易に想到できる。本願は、本発明の如何なる変形、用途又は適応的変化を含むことを意図しており、これらの変形、用途又は適応的変化は本発明の一般的な原理に準じ、本発明に開示されていない当該技術分野における一般的知識又は慣用の技術手段を含む。明細書と実施例は、例示的なものに過ぎず、本発明の技術的範囲と思想は、特許請求の範囲によって決められる。
【０１３７】
本発明は、上記の説明及び図面に示された正確な構造に限定されることなく、その要旨を逸脱しない範囲内で様々な補正や変更を行うことができる。本発明の範囲は、特許請求の範囲のみによって限定される。
【図１】
2019505100.tif 000003
【図２】
2019505100.tif 000004
【図３】
2019505100.tif 000005
【図４Ａ】
2019505100.tif 000006
【図４Ｂ】
2019505100.tif 000007
【図５】
2019505100.tif 000008
【図６】
2019505100.tif 000009
【図７】
2019505100.tif 000010
【図８】
2019505100.tif 000011
【図９Ａ】
2019505100.tif 000012
【図９Ｂ】
2019505100.tif 000013
【図１０Ａ】
2019505100.tif 000014
【図１０Ｂ】
2019505100.tif 000015
【図１１Ａ】
2019505100.tif 000016
【図１１Ｂ】
2019505100.tif 000017
【図１２】
2019505100.tif 000018
【国際調査報告】
2019505100.tif 000019
2019505100.tif 000020
2019505100.tif 000021
2019505100.tif 000022